(57)【要約】【課題】受信メールが迷惑メールか否かを正確に判断して、迷惑メールを一括削除することができる情報処理装置を提供する。【解決手段】メールの送受信を行う情報処理装置であって、複数のメールアドレスが記述されたアドレス帳情報を記憶する記憶手段と、受信メールの送信元メールアドレスからアドレス帳情報に含まれないメールアドレスを抽出する抽出手段（Ｓ１０３乃至Ｓ１１９）と、抽出されたメールアドレスに基づいて受信メールを削除する削除手段と、を備えた。【選択図】  図５
2008276698.tif 000002
【特許請求の範囲】
【請求項１】
メールの送受信を行う情報処理装置であって、
複数のメールアドレスが記述されたアドレス帳情報を記憶する記憶手段と、
受信メールの送信元メールアドレスから前記記憶手段により記憶されるアドレス帳情報に含まれないメールアドレスを抽出する抽出手段と、
前記抽出手段により抽出されたメールアドレスに基づいて受信メールを削除する削除手段と、
を備えたことを特徴とする情報処理装置。
【請求項２】
前記抽出手段により抽出されたメールアドレスを選択可能に表示する表示手段を備え、
前記削除手段は、前記表示手段により選択されたメールアドレスに基づいて受信メールを削除する請求項１記載の情報処理装置。
【請求項３】
メールの送受信を行う情報処理装置であって、
複数のメールアドレスが記述されたアドレス帳情報、及び既に受信済みの受信メールの送信元メールアドレスが羅列された受信履歴情報を記憶する記憶手段と、
受信メールの送信元メールアドレスから前記記憶手段により記憶されるアドレス帳情報に含まれないメールアドレスを抽出する抽出手段と、
前記抽出手段により抽出されたメールアドレスを前記受信履歴情報から削除する削除手段と、
を備えたことを特徴とする情報処理装置。
【請求項４】
前記記憶手段は、既に送信済みの送信メールを記憶するとともに、
前記抽出手段は、前記記憶手段により記憶されるアドレス帳情報に加えて、さらに送信メールの送信先メールアドレスにも含まれないメールアドレスを抽出する請求項１または３記載の情報処理装置。
【請求項５】
前記記憶手段は、既に受信済みの受信メールの受信メール情報を記憶するとともに、
前記削除手段は、受信メールを削除する際に、前記記憶手段により記憶された受信メール情報から、前記表示手段により選択されたメールアドレスが送信元となっている受信メール情報を削除する請求項１または３記載の情報処理装置。
【請求項６】
メールの送受信を行う情報処理装置であって、
複数のメールアドレスが記述されたアドレス帳情報、及び既に受信済みの受信メール情報を記憶する記憶手段と、
前記記憶手段により記憶されたアドレス帳情報を選択可能に表示する表示手段と、
前記表示手段により選択されたメールアドレスに基づいて前記記憶手段により記憶された受信メール情報から受信メールを削除する削除手段と、
を備えたことを特徴とする情報処理装置。
【発明の詳細な説明】
【技術分野】
【０００１】
本発明は、電子メールの送受信を行う情報処理装置に係り、具体的には、受信メールを送信元のメールアドレスに基づいて一括削除することが可能な情報処理装置に関する。
【背景技術】
【０００２】
近年、携帯電話機等の情報処理装置において頻繁に電子メールの送受信が行われるようになり、同時に宣伝や広告等の迷惑メールが氾濫するようになった。携帯電話機におけるメール機能では、ユーザがこれらの迷惑メールを削除する際に、一つ一つの受信メールを確認して、必要なメールであるか不必要なメールであるかを判断して、不必要な受信メールを手動で削除する必要があった。よって、ユーザが迷惑メールを削除する際に、受信済みの迷惑メールが大量に溜まってしまっている場合には、かなりの手間がかかってしまう。
【０００３】
そこで、アドレス帳に記載されている電話番号やメールアドレスを、使用回数や最終使用日時によりフィルターをかけて一括削除する情報処理装置が提案されている（特許文献１参照）。
【特許文献１】特開２００３−１８２８１号公報
【発明の開示】
【発明が解決しようとする課題】
【０００４】
使用回数や最終使用日時によりフィルターをかける方法では、受信メールがアドレス帳に記載されている知人からのメールであっても、その知人とのメールのやり取りが少ない場合やその知人としばらく疎遠になっていた場合等に、受信メールが迷惑メールだと判断されてしまう恐れがあった。また、アドレス帳に記述されていない知人からの受信メールも迷惑メールだと判断されてしまう恐れもあった。
【０００５】
本発明は、上記課題を鑑みなされたもので、受信メールが迷惑メールか否かを正確に判断して、迷惑メールを一括削除することができる情報処理装置を提供することを目的とする。
【課題を解決するための手段】
【０００６】
上記課題を解決するために、本発明に係る情報処理装置は、メールの送受信を行う情報処理装置であって、複数のメールアドレスが記述されたアドレス帳情報を記憶する記憶手段と、受信メールの送信元メールアドレスから前記記憶手段により記憶されるアドレス帳情報に含まれないメールアドレスを抽出する抽出手段と、前記抽出手段により抽出されたメールアドレスに基づいて受信メールを削除する削除手段と、を備えたことを特徴とする。
【発明の効果】
【０００７】
本発明に係る情報処理装置によると、受信メールが迷惑メールか否かを正確に判断して、迷惑メールを一括削除することが可能となる。
【発明を実施するための最良の形態】
【０００８】
本発明に係る情報処理装置の実施形態について、添付図面を参照しながら説明する。なお、本発明に係る情報処理装置として、携帯電話機型の情報処理装置１を例として説明する。
【０００９】
図１は、情報処理装置１のシステム構成図である。情報処理装置１は、図１に示すように、主制御部１１、電源回路部１２、操作入力制御１３、ＬＣＤ制御部１４、音声コーディック１５、変復調回路部１６、多重化分離部１７、記憶部１８、がバスＢによって相互に接続されて構成される。
【００１０】
主制御部１１は、様々なデータ処理や演算を行うＣＰＵ（Ｃｅｎｔｒａｌ  Ｐｒｏｃｅｓｓｉｎｇ  Ｕｎｉｔ）からなり、後述する差出人不明アドレスリスト表示処理やメール削除処理等の様々な処理を行う。電源回路部１２は、ユーザの操作キー２１による入力により電源のオン／オフ状態を切り替え、電源がオン状態の場合には電力供給源（バッテリ等）から各部に対して電力を供給して、情報処理装置１を動作可能にする。操作入力制御部１３は、操作キー２１によって入力されたデータを主制御部１１に伝送する。ＬＣＤ制御部１４は、主制御部１１の制御に基づいて、文字データや画像データ等を液晶ディスプレイ２２に表示する処理を行う。
【００１１】
音声コーディック１５は、主制御部１１の制御に基づいて、マイクロフォン２３で集音した音声からデジタル音声信号を生成する。変復調回路部１６は、音声通話の際に、音声コーディック１５からデジタル音声信号を入力して、送受信回路部２５に伝送する。送受信回路部２５はこのデジタル音声信号をアンテナ２６を介して送信する。
【００１２】
また、変復調回路部１６は、送受信回路部５１がアンテナ５２を介して受信したデジタル音声信号を入力する。音声コーディック１５は、音声通話の際に、このデジタル音声信号を取得してアナログ音声信号に変換し、スピーカ２４から音声として出力する。
【００１３】
記憶部１８は、主制御部４１が行う各処理の処理プログラム等を格納するＲＯＭ（Read Only Memory）やハードディスク等の磁気的な記憶装置、主制御部４１が処理を行う際に使用するデータを一時的に記憶するＲＡＭ（Random Access Memory）等の電気的な記憶装置とからなる。なお、主制御部１１が実行する処理プログラムは、記憶部１８に予めインストールされていても、送受信回路部２５を介してダウンロードされても良い。
【００１４】
情報処理装置１は、メール送受信処理を行う。すなわち情報処理装置１の主制御部１１は、電子メール等のデータを受信する際、アンテナ２６を介して受信した受信信号を変復調回路部１６でスペクトラム逆拡散処理して元のテキストデータを復元した後、ＬＣＤ制御部１４を介して液晶ディスプレイ２２にこのテキストデータを受信メールとして表示する。また、主制御部４１は、ユーザの操作に応じて受信メールを記憶部１８に記録する。また主制御部１１は、電子メール等のデータを送信する際、変復調回路部１６でテキストデータに対してスペクトラム拡散処理を行い、アンテナ２６を介して送信する。
【００１５】
記憶部１８は、既に送信された複数の送信メールが羅列された送信メール情報３０が記憶される送信メール記憶部１８ａ、既に受信された複数の受信メールが羅列された受信メール情報４０が記憶される受信メール記憶部１８ｂ、知人等のメールアドレスが羅列されたアドレス帳情報５０が記憶されるアドレス帳記憶部１８ｃ、及び既に受信された複数の受信メールのメールアドレスが羅列された受信履歴情報が記憶される受信履歴記憶部１８ｄから構成される。
【００１６】
送信メール情報３０は、図２に示すように、送信された各メール毎に、送信先のメールアドレスを示すメールアドレス情報３１、送信日時を示す送信日時情報３２、送信状態が未送信であるか送信済みであるかを示す送信状態情報３３、メールのタイトルを示すタイトル情報３４、メールの本文を示す本文情報３５、及び、メールに添付されたファイルを示す添付ファイル情報３６が対応付けられた情報である。送信状態情報３３は、例えば未送信なら「未」、送信済みなら「済」で示される。また添付ファイル情報３６は、例えばファイル名や格納場所で示される。
【００１７】
受信メール情報４０は、図３に示すように、受信された各メール毎に、送信元のメールアドレスを示すメールアドレス情報４１、受信日時を示す受信日時情報４２、メールの開封状態が未開封であるか開封済みであるかを示す開封状態情報４３、メールのタイトルを示すタイトル情報４４、メールの本文を示す本文情報４５、及び、メールに添付されたファイルを示す添付ファイル情報４６が対応付けられた情報である。開封状態情報４３は、例えば未開封なら「未」、開封済みなら「済」で示される。
【００１８】
アドレス帳情報５０は、図４に示すように、個人を識別するためのＩＤ情報５１に対して、氏名を示す名前情報５２、メールアドレスを示すメールアドレス情報５３、及び、電話番号を示す電話番号情報５４が対応付けられた情報である。なお、メールアドレス情報５３や電話番号情報５４は、各個人に対して複数設定されていても良い。
【００１９】
受信履歴情報は、既に受信済みの受信メールのメールアドレス情報が羅列された情報であり、受信メール情報４０とは別個に記憶されている。
【００２０】
情報処理装置において送受信されるメールの中に迷惑メールが氾濫する中、従来の情報処理装置では、メールを受信する際に、その受信メールが必要なメールであるか不必要なメールであるかを判断することができなかった。そのため、いったん全ての受信メールを受信し、ユーザが一つ一つのメールに対して必要か不必要かを判断して不必要なメールを削除しなければならなかった。
【００２１】
本発明に係る情報処理装置１では、受信したメールがアドレス帳情報５０に記載されているメールアドレスからのメールであるか否かを判断してユーザに提示することにより、ユーザがそのメールアドレスに基づいて、受信メールが必要か不必要かを判断できるようにする不明差出人アドレスリスト表示処理を行う。また情報処理装置１は、ユーザが送信元メールアドレスから不必要であると判断した受信メールを削除するメール削除処理を行う。
【００２２】
情報処理装置１が差出人不明アドレスリスト表示処理を行う際の手順を、図５に示すフローチャート及び図６に示す画面遷移図に基づいて説明する。
【００２３】
始めに、情報処理装置１の主制御部１１は、ユーザにより、受信メール情報４０を表示するための受信ＢＯＸの表示指示がされたか否かを判断する（Ｓ１０１）。この際、例えば所定の操作キー２１が押下されることにより表示指示がされたものと判断する。表示指示がされていない場合（Ｓ１０１のＮｏは、主制御部１１はそのまま待機する。
【００２４】
表示指示がされた場合（Ｓ１０１のＹｅｓ）は、主制御部１１は、受信メール記憶部１８ｂから受信メール情報４０を取得する（Ｓ１０３）。また、主制御部１１は、受信メールが羅列された受信ＢＯＸを表示する（Ｓ１０５）。この受信ＢＯＸは、例えば図６に示す画面７１のように、受信メールが新着順に並べられ、各々の受信メールについて、受信日時情報４２、タイトル情報４０、メールアドレス情報４１が表示される。
【００２５】
主制御部１１は、差出人不明アドレスリスト６０の表示指示がされたか否かを判断する（Ｓ１０７）。この際、例えばユーザにより図６に示す画面７１のサブメニュー７１ａが選択されると、サブメニューのリストとして、液晶ディスプレイ２２に画面７２に示すように、例えば「選択受信」項目、「選択保護／解除」項目、「削除」項目７２ａ等の項目リストが表示される。このサブメニューのリストの中から、ユーザにより「削除」項目７１ａが選択されると、画面７３に示されるように、液晶ディスプレイ２２に例えば「１件削除」項目、「選択削除」項目、「不明差出人削除」項目７３ａ等の削除方法を示す項目リストが表示される。主制御部１１は、例えばユーザにより「不明差出人削除」項目７３ａが選択された際に、差出人不明アドレスリスト６０の表示指示がされたと判断する。
【００２６】
差出人不明アドレスリストの表示指示がされない場合（Ｓ１０７のＮｏ）は、主制御部１１はそのまま待機する。差出人不明アドレスリスト６０の表示指示がされた場合（Ｓ１０７のＹｅｓ）は、主制御部１１はアドレス帳記憶部１８ｃからアドレス帳情報５０を取得する（Ｓ１０９）。また主制御部１１は、送信メール記憶部１８ａから送信メール情報３０を取得する（Ｓ１１１）。
【００２７】
主制御部１１は、Ｓ１０３で取得した受信メール情報４０から、受信メールのメールアドレス情報４１を取得する（Ｓ１１３）。そして主制御部１１は、Ｓ１１３で取得したメールアドレス情報４１が、Ｓ１０９で取得したアドレス帳情報５０のメールアドレス情報５３またはＳ１１１で取得した送信メール情報３０のメールアドレス情報３１にあるか否かを判断する（Ｓ１１５）。これにより、受信メールの送信元がアドレス帳に記載されている知人のメールアドレス、あるいは以前に電子メールを送信したことのあるメールアドレスであれば、この受信メールの差出人が不明ではなく、そうでなければ、差出人が不明であると判断される。
【００２８】
Ｓ１１３で取得したメールアドレス情報４１が、Ｓ１０９で取得したアドレス帳情報５０のメールアドレス情報５３及びＳ１１１で取得した送信メール情報３０のメールアドレス情報３１の双方にない場合（Ｓ１１５のＮｏ）には、主制御部１１は、Ｓ１１３で取得した受信メールのメールアドレス情報４１を差出人不明アドレスリスト６０に追加する（Ｓ１１７）。差出人不明アドレスリスト６０は、図７に示すように、差出人が不明であると判断された受信メールのメールアドレス情報４１が羅列されたリストである。すなわち、差出人不明アドレスリスト６０は、図３に示す受信メール情報４０のメールアドレス情報４１には含まれ、図２に示す送信メール情報３０及び図４に示すアドレス帳情報５０には含まれない「ａａａ＠ａｂｃ．ｎｅ．ｊｐ」等のメールアドレスが抽出されてなる情報である。
【００２９】
主制御部１１は、Ｓ１１１で取得した受信メール情報４０に未処理のメールアドレスが存在するか否か、すなわち、受信メール情報４０にＳ１１３乃至Ｓ１１５（またはＳ１１７）の処理が行われていないメールアドレスが存在するか否かを判断する（Ｓ１１９）。未処理のメールアドレスが存在する場合（Ｓ１１９のＹｅｓ）は、Ｓ１１３に戻って、受信メール情報４０から未処理のメールアドレスを取得する。
【００３０】
未処理のメールアドレスが存在しない場合、すなわち受信メール情報４０に含まれる全てのメールアドレス情報４１に対してＳ１１３乃至Ｓ１１５（またはＳ１１７）の処理が行われた場合（Ｓ１１９のＮｏ）は、主制御部１１は、液晶ディスプレイ２２に差出人不明アドレスリスト６０を表示する（Ｓ１２１）。この際、液晶ディスプレイ２２には、例えば、図６に示す画面７４のように、差出人不明アドレスリスト６０のメールアドレスが各々選択可能に羅列されて表示される。
【００３１】
このようにして情報処理装置１は、アドレス帳情報５０や送信メール情報３０に基づいて差出人不明の受信メールを抽出して、差出人不明アドレスリスト６０を作成して、ユーザに対して提示する。ユーザが、この提示された差出人不明アドレスリスト６０から削除したいメールアドレスを操作キー２１で選択すると、情報処理装置１は、ユーザにより選択されたメールアドレスが送信元となっている受信メールを削除する。
【００３２】
ここで、ユーザが画面７４から削除すべきメールアドレスを選択した場合に、情報処理装置１が、選択されたメールアドレスからの受信メールを受信メール情報４０から削除するメール削除処理について、図８に示すフローチャート及び図６に示す画面遷移図に基づいて説明する。
【００３３】
まず主制御部１１は、液晶ディスプレイ２２に差出人不明アドレスリスト６０を表示する（Ｓ２０１、Ｓ１２１の処理）。主制御部１１は、ユーザにより削除指示がされたか否かを判断する（Ｓ２０３）。この際、主制御部１１は、例えば図６に示す画面７４において削除対象となるメールアドレスが選択されて確定ボタン７４ａが押されることで、削除指示がされたと判断する。ユーザにより削除指示がされない場合（Ｓ２０３のＮｏ）は、主制御部１１はそのまま待機する。
【００３４】
ユーザにより削除指示がされた場合（Ｓ２０３のＹｅｓ）は、主制御部１１は、画面７４において選択されている削除対象のメールアドレスを羅列することにより、削除リストを作成する（Ｓ２０５）。主制御部１１は、これらの選択されているメールアドレスが送信元となっている受信メールを、受信メール情報４０から一括して削除する。
【００３５】
主制御部１１は、Ｓ１０３にて既に取得されている受信メール情報４０から、受信メールのメールアドレスを取得する（Ｓ２０７）。そして主制御部１１は、Ｓ２０７で取得したメールアドレスが、Ｓ２０５にて作成した削除リストに含まれるか否かを判断する（Ｓ２０９）。Ｓ２０７で取得したメールアドレスが削除リストに含まれる場合（Ｓ２０９のＹｅｓ）は、主制御部１１は、受信メール情報４０からこの受信メールを削除する（Ｓ２１１）。
【００３６】
主制御部１１は、未処理のメールアドレスがあるか否か、すなわち受信メール情報４０にＳ２０７乃至Ｓ２０９（またはＳ２１１）の処理を行っていない受信メールがあるか否かを判断する（Ｓ２１３）。未処理のメールアドレスがある場合（Ｓ２１３のＹｅｓ）は、Ｓ２０７に戻って、主制御部１１は受信メール情報４０から未処理のメールアドレスが送信元となっている受信メールのメールアドレスを取得する。
【００３７】
未処理のメールアドレスがない場合、すなわち受信メール情報４０の全てのメールアドレスに対してＳ２０７乃至Ｓ２０９（またはＳ２１１）の処理を行った場合（Ｓ２１３のＮｏ）は、主制御部１１は、受信履歴情報からメールアドレスを取得する（Ｓ２１５）。
【００３８】
主制御部１１は、Ｓ２１５で取得したメールアドレスが、Ｓ２０５で作成した削除リストに含まれているか否かを判断する（Ｓ２１７）。Ｓ２１５で取得したメールアドレスが削除リストに含まれる場合（Ｓ２１７のＹｅｓ）は、主制御部１１は、受信履歴情報からこのメールアドレスを削除する（Ｓ２１９）。
【００３９】
主制御部１１は、未処理のメールアドレスがあるか否か、すなわち受信履歴情報にＳ２１５乃至Ｓ２１７（またはＳ２１９）の処理を行っていないメールアドレスがあるか否かを判断する（Ｓ２２１）。未処理のメールアドレスがある場合（Ｓ２２１のＹｅｓ）は、Ｓ２１５に戻って、主制御部１１は受信履歴情報から未処理のメールアドレスを取得する。
【００４０】
未処理のメールアドレスがない場合、すなわち受信履歴情報に記述されている全てのメールアドレスに対してＳ２１５乃至Ｓ２１７（またはＳ２１９）の処理を行った場合（Ｓ２２１のＮｏ）は、主制御部１１は、Ｓ１０５にて表示した受信ボックスを、Ｓ２１１にて削除された受信メールを反映させて再表示し（Ｓ２１５）、メール削除処理が完了する。
【００４１】
図６に示す画面遷移図において、メール削除処理が行われる前の画面７１に「当選しました」というタイトルのメールアドレス「ａａａ＠ａｂｃ．ｎｅ．ｊｐ」からの受信メール（最上）、及び「おめでとうございます」というタイトルのメールアドレス「ｂｂｂ＠ｄｅｆ．ｎｅ．ｊｐ」からの受信メール（最下）が表示されているが、例えば、画面７４のように、Ｓ２０５にてユーザにより「ａａａ＠ａｂｃ．ｎｅ．ｊｐ」及び「ｂｂｂ＠ｄｅｆ．ｎｅ．ｊｐ」の２つのメールアドレスが削除対象として選択された場合、メール削除処理が行われる後の画面７５においては、これらユーザにより選択されたメールアドレスが送信元となっている２つの受信メールが削除されていることがわかる。
【００４２】
また、図９に、メール削除処理が行われる前に液晶ディスプレイ２２に表示される受信メール表示画面７６、メール削除処理が行われた後に液晶ディスプレイ２２に表示される受信履歴表示画面７７を示す。受信履歴表示画面７６及び７７は、受信履歴情報が表示される画面である。例えば、同様に、図６に示す画面７４のように、Ｓ２０５にてユーザにより「ａａａ＠ａｂｃ．ｎｅ．ｊｐ」及び「ｂｂｂ＠ｄｅｆ．ｎｅ．ｊｐ」の２つのメールアドレスが削除対象として選択された場合、メール削除処理の前の受信履歴表示画面７６には、「ａａａ＠ａｂｃ．ｎｅ．ｊｐ」及び「ｂｂｂ＠ｄｅｆ．ｎｅ．ｊｐ」の２つのメールアドレスが表示されているが、メール削除処理の後の受信履歴表示画面７７には、これらの２つのメールアドレスが表示されていない。すなわち、ユーザにより選択されたメールアドレスが送信元となっている受信メールが受信履歴情報から削除されていることがわかる。
【００４３】
このように、情報処理装置１では、ユーザが差出人不明アドレスリスト６０から選択したメールアドレスが送信元となっている全ての受信メールを削除することにより、差出人不明の受信メールを一括削除することが可能となっている。また、差出人不明の受信メールを一括削除する際に、受信メールの受信履歴情報についても、同時に削除することが可能となっている。
【００４４】
なお、実施形態として、送信メール情報３０またはアドレス帳情報５０に記述されていないメールアドレスからの受信メールを差出人不明の受信メールとして削除する例について説明したが、これに限らず、アドレス帳情報５０から所定のメールアドレスを選択して、このメールアドレスが送信元となっている受信メールを受信メール情報４０から一括削除するとともに、このメールアドレスを受信履歴情報から削除してもよい。
【００４５】
この際には、主制御部１１は、アドレス帳情報５０に記述されたメールアドレス（名前情報５２等も含む。）を液晶ディスプレイ２２に選択可能に表示し、ユーザにより選択されたメールアドレスが送信元となっている受信メールを受信メール情報４０から削除するとともに、このメールアドレスを受信履歴情報から削除する。
【００４６】
また、ユーザがアドレス帳情報５０から所定のメールアドレスを削除した際に、同様に、削除されたメールアドレスが送信元となっている受信メールを受信メール情報４０から削除するとともに、このメールアドレスを受信履歴情報から削除してもよい。
【００４７】
さらに、受信メールのみでなく送信メールも削除対象とし、所定のメールアドレスに基づいて、送信メール情報３０から送信メールを削除したり、送受信履歴からこのメールアドレスを削除したりしてもよい。
【００４８】
そして、電子メールを受信した時点で、ステップＳ１１３乃至Ｓ１１７の処理を行い、差出人不明の電子メールであった場合に、ステップＳ１２１の表示処理を行って、ユーザにこの受信メールを削除するか否かの判断を促しても良い。
【００４９】
本発明に係る情報処理装置１によると、ユーザに対して差出人不明の受信メールのメールアドレスを提示して削除対象とするメールアドレスを選択させ、このユーザにより選択されたメールアドレスに基づいて受信メールを一括削除することにより、受信メールが迷惑メールか否かを正確に判断して、迷惑メールを一括削除することが可能となる。
【００５０】
また、本発明に係る情報処理装置１によると、ユーザにより選択されたメールアドレスを受信履歴情報から削除することにより、ユーザが誤って不明なメールアドレスに対してメールを送信してしまうことが防止される。
【００５１】
なお、ステップＳ１０３乃至Ｓ１１９の処理が抽出手段であり、ステップＳ２０５乃至Ｓ２２１の処理が削除手段であり、ステップＳ１２１の処理が表示手段である。
【００５２】
本発明に係る情報処理装置１として携帯電話機型の情報処理装置１について説明したいが、これに限らず、携帯電話、ＰＨＳ（Personal Handyphone System）、ＰＤＡ（Personal Digital Assistant）、パーソナルコンピュータ、その他の情報処理装置にも適用することができる。
【００５３】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００５４】
【図１】本発明に係る情報処理装置のシステム構成図。
【図２】送信メール情報のデータ構造を示す図。
【図３】受信メール情報データ構造を示す図。
【図４】アドレス帳情報データ構造を示す図。
【図５】本発明に係る情報処理装置が差出人不明アドレスリスト表示処理を行う際の手順を示すフローチャート。
【図６】本発明に係る情報処理装置が差出人不明アドレスリスト表示処理及びメール削除処理を行う際の画面遷移図。
【図７】差出人不明アドレスリストのデータ構造を示す図。
【図８】本発明に係る情報処理装置がメール削除処理を行う際の手順を示すフローチャート。
【図９】本発明に係る情報処理装置によるメール削除処理の前後の受信履歴画面の画面図。
【符号の説明】
【００５５】
１  情報処理装置
１１  主制御部
１２  電源回路部
１３  操作入力制御部
１４  ＬＣＤ制御部
１５  カメラインターフェース
１６  音声コーディック
１７  変復調回路部
１８  記憶部
１８ａ  送信メール記憶部
１８ｂ  受信メール記憶部
１８ｃ  アドレス帳記憶部
１８ｄ  受信履歴記憶部
２１  操作キー
２２  液晶ディスプレイ
２３  マイクロフォン
２４  スピーカ
２５  送受信回路部
２６  アンテナ
３０  送信メール情報
４０  受信メール情報
５０  アドレス帳情報
６０  差出人不明アドレスリスト
Ｂ  バス
【図１】
2008276698.tif 000003
【図２】
2008276698.tif 000004
【図３】
2008276698.tif 000005
【図４】
2008276698.tif 000006
【図５】
2008276698.tif 000007
【図６】
2008276698.tif 000008
【図７】
2008276698.tif 000009
【図８】
2008276698.tif 000010
【図９】
2008276698.tif 000011